(57)【要約】      （修正有）【課題】空間に表示させる画像に対応する表示パターンの追加や編集を行う。【解決手段】表示システムは、複数のＬＥＤと、画像の表示パターンを記憶する記憶部と、表示パターンに基づき複数のＬＥＤの点滅を制御する制御部と、所定のプロトコルに従い通信を行う通信Ｉ／Ｆ部とを備える、残像現象を利用して空間に画像を表示させる表示装置１と、画像の表示パターンを編集及び／又は新規作成する制御部と、表示パターンを記憶する記憶部と、所定のプロトコルに従い通信を行う通信Ｉ／Ｆ部とを備える編集装置３０とからなり、通信インターフェース部により表示装置１及び編集装置３０が接続された場合に、表示装置１は、編集装置３０に対して記憶部に記憶された表示パターンを送信すると共に、編集装置３０から送信された表示パターンを受信し、受信した表示パターンを記憶部に記憶する。【選択図】図１
2012194213.tif 000002
【特許請求の範囲】
【請求項１】
複数の発光素子と、
画像の表示パターンを記憶する第１の記憶部と、
前記表示パターンに基づき前記複数の発光素子の点滅を制御する制御部と、
所定のプロトコルに従い、他の機器と通信を行う第１の通信インターフェースとを備える、残像現象を利用して空間に画像を表示させる表示装置と、
画像の表示パターンを編集及び／又は新規作成する編集／作成処理部と、
前記表示パターンを記憶する第２の記憶部と、
所定のプロトコルに従い、他の機器と通信を行う第２の通信インターフェースとを備える編集装置とからなり、
前記第１及び第２の通信インターフェースにより前記表示装置及び前記編集装置が接続された場合に、
前記表示装置は、前記編集装置に対して前記第１の記憶部に記憶された前記表示パターンを送信すると共に、前記編集装置から送信された表示パターンを受信し、該受信した表示パターンを前記第１の記憶部に記憶し、
前記編集装置は、前記表示装置から送信された前記表示パターンを受信し、該受信した表示パターンを前記第２の記憶部に記憶すると共に、前記表示装置に対して前記第２の記憶部に記憶された前記表示パターンを送信することを特徴とする表示システム。
【請求項２】
残像現象を利用して空間に画像を表示させる表示装置であって、
複数の発光素子と、
画像の表示パターンを記憶する第１の記憶部と、
前記表示パターンに基づき前記複数の発光素子の点滅を制御する制御部と、
所定のプロトコルに従い、他の機器と通信を行う第１の通信インターフェースとを備え、
前記第１の通信インターフェースを介してなされる通信により、前記他の機器に対して前記第１の記憶部に記憶された前記表示パターンを送信すると共に、前記他の機器から送信された表示パターンを受信し、該受信した表示パターンを前記第１の記憶部に記憶することを特徴とする表示装置。
【請求項３】
前記第１の通信インターフェースは、ＵＳＢを用いて前記他の機器と通信を行うことを特徴とする請求項２に記載の表示装置。
【請求項４】
前記第１の通信インターフェースは、赤外線を用いて前記他の機器と無線通信を行うことを特徴とする請求項２に記載の表示装置。
【請求項５】
残像現象を利用して空間に画像を表示させる表示装置の編集装置であって、
画像の表示パターンを編集及び／又は新規作成する編集／作成処理部と、
前記表示パターンを記憶する第２の記憶部と、
所定のプロトコルに従い、前記表示装置と通信を行う第２の通信インターフェースとを備え、
前記第２の通信インターフェースを介してなされる通信により、前記表示装置から送信された表示パターンを受信し、該受信した表示パターンを前記第２の記憶部に記憶すると共に、前記表示装置に対して前記第２の記憶部に記憶された前記表示パターンを送信することを特徴とする編集装置。
【請求項６】
前記編集装置は、ＰＣであることを特徴とする請求項５に記載の編集装置。
【請求項７】
前記編集装置は、携帯電話であることを特徴とする請求項５に記載の編集装置。
【発明の詳細な説明】
【技術分野】
【０００１】
本発明は、表示システム、表示装置及び編集装置に関し、特に、残像現象を利用して、空間に文字や図形等の画像を表示する表示装置に記憶された表示パターンの追加及び／又は編集が可能な表示パターンの表示システム、表示装置及び編集装置に関する。
【背景技術】
【０００２】
従来、一列に並べられた複数のＬＥＤ（Light Emitting Diode）が棒状部材等に設けられ、ユーザがスイング動作を行うことによって空間に文字や図形等の画像を表示させるスイング式の表示装置が知られている。このような表示装置には、通常、ＬＥＤを点灯又は消灯（以下、「点滅」とする）させるタイミングが予め設定され、ユーザがスイングした際に、予め設定された所定のタイミングでＬＥＤを点滅させることにより、図８に示すような画像を、残像現象を利用して空間に表示させることができる（例えば、特許文献１及び２を参照）。
【０００３】
空間に表示される画像は、表示装置内に予め記憶された表示パターンに基づく画像であり、表示装置には、例えば複数の表示パターンが予め記憶される。ユーザは、この表示装置を操作して複数の表示パターンの中から所定の表示パターンを選択することにより、選択した表示パターンに基づく画像を空間に表示させることができる。
【先行技術文献】
【特許文献】
【０００４】
【特許文献１】特許第２５２４６７６号公報
【特許文献２】特許第４２５０６６７号公報
【発明の概要】
【発明が解決しようとする課題】
【０００５】
しかしながら、従来の表示装置では、装置内に予め記憶された表示パターンに基づく画像しか表示させることができず、ユーザが新たな表示パターンを追加したり、記憶された表示パターンを編集することができないという問題があった。
【０００６】
そこで、本発明は、上記従来の技術における問題点に鑑みてなされたものであって、空間に表示させる画像に対応する表示パターンの追加や編集を行うことが可能な表示システム、表示装置及び編集装置を提供することを目的とする。
【課題を解決するための手段】
【０００７】
上記目的を達成するため、本発明は、表示システムであって、複数の発光素子と、画像の表示パターンを記憶する第１の記憶部と、前記表示パターンに基づき前記複数の発光素子の点滅を制御する制御部と、所定のプロトコルに従い、他の機器と通信を行う第１の通信インターフェースとを備える、残像現象を利用して空間に画像を表示させる表示装置と、画像の表示パターンを編集及び／又は新規作成する編集／作成処理部と、前記表示パターンを記憶する第２の記憶部と、所定のプロトコルに従い、他の機器と通信を行う第２の通信インターフェースとを備える編集装置とからなり、前記第１及び第２の通信インターフェースにより前記表示装置及び前記編集装置が接続された場合に、前記表示装置は、前記編集装置に対して前記第１の記憶部に記憶された前記表示パターンを送信すると共に、前記編集装置から送信された表示パターンを受信し、該受信した表示パターンを前記第１の記憶部に記憶し、前記編集装置は、前記表示装置から送信された前記表示パターンを受信し、該受信した表示パターンを前記第２の記憶部に記憶すると共に、前記表示装置に対して前記第２の記憶部に記憶された前記表示パターンを送信することを特徴とする。
【０００８】
そして、本発明によれば、第１及び第２の通信インターフェースにより表示装置及び編集装置を接続し、表示装置と編集装置との間で表示パターンの送受信を行うため、表示装置に記憶された表示パターンの追加や編集を行うことが可能になる。
【０００９】
また、本発明は、残像現象を利用して空間に画像を表示させる表示装置であって、複数の発光素子と、画像の表示パターンを記憶する第１の記憶部と、前記表示パターンに基づき前記複数の発光素子の点滅を制御する制御部と、所定のプロトコルに従い、他の機器と通信を行う第１の通信インターフェースとを備え、前記第１の通信インターフェースを介してなされる通信により、前記他の機器に対して前記第１の記憶部に記憶された前記表示パターンを送信すると共に、前記他の機器から送信された表示パターンを受信し、該受信した表示パターンを前記第１の記憶部に記憶することを特徴とする。
【００１０】
そして、本発明によれば、第１の通信インターフェースを介して他の機器と通信を行い、他の機器との間で表示パターンの送受信を行うため、記憶された表示パターンの追加や編集を行うことが可能になる。
【００１１】
上記表示装置において、前記第１の通信インターフェースは、ＵＳＢを用いて前記他の機器と通信を行うことができる。
【００１２】
上記表示装置において、前記第１の通信インターフェースは、赤外線を用いて前記他の機器と無線通信を行うことができる。これにより、表示装置及び他の機器を接続する際の接続ケーブルが不要となるため、表示装置及び他の機器を容易に接続することが可能になる。
【００１３】
また、本発明は、残像現象を利用して空間に画像を表示させる表示装置の編集装置であって、画像の表示パターンを編集及び／又は新規作成する編集／作成処理部と、前記表示パターンを記憶する第２の記憶部と、所定のプロトコルに従い、前記表示装置と通信を行う第２の通信インターフェースとを備え、前記第２の通信インターフェースを介してなされる通信により、前記表示装置から送信された表示パターンを受信し、該受信した表示パターンを前記第２の記憶部に記憶すると共に、前記表示装置に対して前記第２の記憶部に記憶された前記表示パターンを送信することを特徴とする。
【００１４】
そして、本発明によれば、第２の通信インターフェースを介して他の機器と通信を行い、表示装置との間で表示パターンの送受信を行うため、他の機器に記憶された表示パターンの追加や編集を行うことが可能になる。
【００１５】
また、予め記憶された表示パターンや、表示装置に記憶された表示パターンの編集及び／又は新規作成を行い、表示装置に対して表示パターンを送信するため、表示装置に対して様々な表示パターンを設定することが可能になる。
【００１６】
上記編集装置において、前記編集装置をＰＣとすることができる。
【００１７】
上記編集装置において、前記編集装置を携帯電話とすることができる。
【発明の効果】
【００１８】
以上のように、本発明によれば、空間に表示させる画像に対応する表示パターンの追加や編集を行うことが可能になる。
【図面の簡単な説明】
【００１９】
【図１】使用形態の一例を示す略線図である。
【図２】本発明にかかる表示装置の一実施の形態を示す外観図であり、（ａ）は正面図、（ｂ）は（ａ）に示すＡ−Ａ間を矢印方向に見た断面図、（ｃ）は側面図である。
【図３】表示装置の機能構成の一例を示すブロック図である。
【図４】表示パターンについて説明するための略線図である。
【図５】編集装置の機能構成の一例を示すブロック図である。
【図６】エキスポート処理の流れを説明するためのフローチャートである。
【図７】インポート処理の流れを説明するためのフローチャートである。
【図８】従来のスイング式の表示装置によって表示される画像について説明するための略線図である。
【発明を実施するための形態】
【００２０】
次に、本発明を実施するための形態について、図面を参照しながら詳細に説明する。図１は、本発明にかかる表示装置及び編集装置を用いた場合の使用形態を示す。この図１の例は、残像現象を利用して空間に画像を表示する表示装置１と、ＰＣ（Personal Computer）等の編集装置３０とを伝送路２０で接続し、表示装置１と編集装置３０との間で、空間に表示させる画像の表示パターンを示す表示パターンデータを伝送する場合の例である。編集装置３０は、伝送路２０を介して表示装置１から伝送された表示パターンを編集して記憶すると共に、編集装置３０上で新規作成された表示パターンデータを伝送路２０を介して表示装置１に伝送することができる。
【００２１】
図２は、本発明にかかる表示装置１の一実施の形態を示し、表示装置１は、同図（ａ）に示すように、棒状等の筐体１０に、発光素子である複数のＬＥＤ２、２、・・・と、各種操作を行うスイッチ３（３ａ〜３ｄ）と、接続端子７とが設けられる。
【００２２】
筐体１０は、上部側の発光部１０ａと、下部側の把持部１０ｂとで構成される。発光部１０ａは、ＬＥＤ２、２、・・・が配置される部分であり、例えば、ＬＥＤ２、２、・・・の周囲が透明の部材で形成されると共に、発光部１０ａ全体が半透明の部材で形成される。また、把持部１０ｂは、ユーザがこの表示装置１を把持するための部分であり、例えば白色の部材で形成される。把持部１０ｂには、スイッチ３（３ａ〜３ｄ）及び接続端子７が配置される。
【００２３】
ＬＥＤ２、２、・・・は、例えば２４個又は３２個のＬＥＤが筐体１０の長手方向に沿うように１列に並べられ、図２（ｂ）及び（ｃ）に示すように、筐体１０から露出するようにして発光部１０ａに配置される。発光部１０ａにおけるＬＥＤ２、２、・・・の周囲が透明の部材で形成されると共に、ＬＥＤ２、２、・・・が露出するようにして配置されることにより、ＬＥＤ２、２、・・・を点灯させた際の光を外部に効率的に照射できるようにされている。
【００２４】
スイッチ３は、ユーザが操作するための操作子であり、ユーザが表示装置１を把持した状態で操作できるように配置されている。スイッチ３としては、例えば、電源スイッチ３ａ、発光パターン選択スイッチ３ｂ、バックライト選択スイッチ３ｃ及び表示パターン選択スイッチ３ｄが設けられる。
【００２５】
電源スイッチ３ａは、電源のＯＮ／ＯＦＦを行うためのスイッチであり、例えば、筐体１０の長手方向を軸とした回転式のスイッチである。この電源スイッチ３ａを所定の角度だけ回転させることにより、電源のＯＮ及びＯＦＦが繰り返される。
【００２６】
発光パターン選択スイッチ３ｂは、ＬＥＤ２、２、・・・及び後述するバックライト６の発光を選択するためのスイッチである。例えば、電源スイッチ３ａを操作して表示装置１の電源がＯＮとされた場合には、ＬＥＤ２、２、・・・が発光状態となっており、この発光パターン選択スイッチ３ｂを１回操作すると、ＬＥＤ２、２、・・・が消灯すると共にバックライト６が点灯する。また、発光パターン選択スイッチ３ｂをさらにもう１回操作すると、ＬＥＤ２、２、・・・が点灯し、ＬＥＤ２、２、・・・及びバックライト６の両方が同時に点灯する。バックライト選択スイッチ３ｃは、バックライト６の発光や点滅、発光する色等、バックライト６の種類を選択することができる。
【００２７】
表示パターン選択スイッチ３ｄは、表示パターンを選択するためのスイッチであり、表示装置１に予め登録された複数の表示パターンの中から所定の表示パターンを選択することができる。例えば、表示パターン選択スイッチ３ｄを連続的に操作した回数に応じて、登録された複数の表示パターンから表示パターン＃１、表示パターン＃２、・・・というように、所定の表示パターンが順次選択される。ここで、「表示パターン選択スイッチ３ｄに対する連続的な操作の回数」とは、例えば、所定時間間隔の範囲内で表示パターン選択スイッチ３ｄが操作される回数を示す。
【００２８】
尚、選択された表示パターンは、例えば、ＬＥＤ２、２、・・・を用いて表示するようにしてもよい。具体的には、例えば、表示パターン＃１が選択された場合には、ＬＥＤ２、２、・・・のうち一番上のＬＥＤを点灯させ、表示パターン＃２が選択された場合には、２番目のＬＥＤを点灯させる。
【００２９】
接続端子７は、ＰＣ等の編集装置３０と接続して、表示パターンを送受信するための端子である。接続端子７としては、例えば、ＵＳＢ（Universal Serial Bus）端子を用いることができる。編集装置３０に表示パターンを送信（エクスポート）したり、編集装置３０から表示パターンを受信（インポート）する場合には、伝送路２０としての通信ケーブルの一方のコネクタを接続端子７に接続し、他方のコネクタを編集装置３０側の接続端子に接続する。
【００３０】
また、表示装置１の筐体１０内には、図２（ｃ）に示すように、回路基板４、センサ５及びバックライト６が設けられる。回路基板４は、ＬＥＤ２、２、・・・や回路を構成する各種素子が搭載されると共に、センサ５やバックライト６、各種スイッチ３、接続端子７等が接続される。センサ５は、例えば発光部１０ａ内の上部側に設けられ、表示装置１のスイング動作を検出するための素子である。バックライト６は、バックライト選択スイッチ３ｃに対する操作に基づき発光する。発光部１０ａが半透明の部材で形成されているため、このバックライト６を発光させた際には、発光部１０ａ全体が発光する。
【００３１】
図３は、表示装置１の機能構成の一例を示すブロック図である。同図に示すように、表示装置１は、大別して、動作検出部１１、操作部１２、記憶部１３、制御部１４、表示部１５及び通信インターフェース（Ｉ／Ｆ）部１６で構成される。
【００３２】
動作検出部１１は、スイング動作による表示装置１の位置や、表示装置１の振り始め動作、スイング動作が反転する振り戻し動作等を検出し、検出結果を示す動作情報を制御部１４に供給する。動作検出部１１としては、例えば加速度センサ（図２のセンサ５）を用いることができる。
【００３３】
操作部１２は、表示装置１の筐体に設けられた各種キーやボタン等の操作子からなり、ユーザの操作に応じた操作子情報を出力し、制御部１４に供給する。操作部１２としては、例えば、図２に示す電源スイッチ３ａ、発光パターン選択スイッチ３ｂ、バックライト選択スイッチ３ｃ及び表示パターン選択スイッチ３ｄを用いることができる。
【００３４】
記憶部１３は、例えばメモリからなり、表示部１５によって表示される画像の表示パターンを示す１つ又は複数の表示パターンデータが予め記憶される。記憶部１３は、制御部１４からの要求に応じて、記憶された表示パターンデータから所定の表示パターンデータを読み出し、制御部１４に供給する。
【００３５】
記憶部１３に記憶される表示パターンデータは、例えば、表示パターン選択スイッチ３ｄを連続的に操作した回数に関連付けられて記憶される。例えば、上述の例においては、表示パターン選択スイッチ３ｄの操作回数「１」と表示パターン＃１とが関連付けられ、表示パターン選択スイッチ３ｄの連続的な操作回数「２」と表示パターン＃２とが関連付けられて記憶される。
【００３６】
記憶部１３に記憶される表示パターンデータは、図４に示すように、行及び列方向に並べられたドットで表現される。表示パターンは、空間に表示させる画像が設定された表示領域２１と、この表示領域２１の前後に設けられ、空間に画像を適切に表示させるためのマージンである非表示領域２２ａ及び２２ｂとで構成される。
【００３７】
非表示領域２２ａ及び２２ｂを設けるのは、表示装置１をスイングさせた際に、スイングの速度によっては、スイング動作における振り始め直後や、スイング動作が反転する振り戻しの直前で画像が潰れてしまう等、画像を適切に表示できなくなるのを防ぐためである。
【００３８】
表示パターンにおける行方向のドットは、図２に示す一列に並べられた複数のＬＥＤ２、２、・・・の各ＬＥＤに対応し、各々のＬＥＤの点滅状態を示す。行方向のドット数は、ＬＥＤ２、２、・・・と同数であり、例えば、２４ドット又は３２ドットである。
【００３９】
表示パターンにおける列方向のドットは、所定の時間における各ＬＥＤの点滅状態を示す。列方向のドット数は、例えば、表示領域２１が１２８ドットであり、非表示領域２２ａ及び２２ｂが各々１５ドットである。
【００４０】
このように設定された表示パターンに基づき、各列毎に所定の時間でＬＥＤを順次点滅させることにより、表示パターンの表示領域２１に設定された画像を空間に表示することができる。
【００４１】
説明は図３に戻り、制御部１４は、図示しないＲＯＭ(Read Only Memory)に予め格納されたプログラムに従い、ＲＡＭ（Random Access Memory）をワークメモリとして各部を制御する。制御部１４は、操作部１２から供給された操作子情報に基づき、選択された表示パターンに対応する表示パターンデータを記憶部１３から読み出す。そして、読み出した表示パターンデータに従い、予め設定された点滅時間で、表示部１５におけるＬＥＤ２、２、・・・の点滅を制御する。
【００４２】
また、制御部１４は、記憶部１３に記憶された表示パターンデータを読み出し、通信Ｉ／Ｆ部１６に供給すると共に、通信Ｉ／Ｆ部１６から供給された表示パターンデータを記憶部１３に記憶させる。
【００４３】
表示部１５は、例えば、一列に並べられた複数のＬＥＤ２、２、・・・からなり、制御部１４の制御に基づきＬＥＤ２、２、・・・の点滅を行う。表示部１５は、表示装置１をスイングさせた状態でＬＥＤ２、２、・・・を点滅させるため、残像現象を利用することにより、表示パターンに基づく画像を空間に表示する。
【００４４】
通信Ｉ／Ｆ部１６は、図１に示す伝送路２０を介して接続された編集装置３０との通信を、所定のプロトコルに従い制御する。例えば、伝送路２０としてＵＳＢを用いた場合、通信Ｉ／Ｆ部１６は、ＵＳＢのプロトコルに従って編集装置３０との通信を制御する。通信Ｉ／Ｆ部１６における通信制御は、制御部１４の命令に基づきなされる。通信Ｉ／Ｆ部１６は、制御部１４から供給された表示パターンデータを編集装置３０に送信する際の通信制御を行う。また、伝送路２０を介して編集装置３０から受信した表示パターンデータを制御部１４に供給する。
【００４５】
次に、本発明にかかる編集装置３０の一実施の形態について説明する。以下では、編集装置３０がＰＣである場合を例にとって説明する。編集装置３０は、伝送路２０を介して表示装置１と接続された際に、表示パターンデータの授受を行うと共に、予め搭載された編集アプリケーションを用いて、表示装置１から供給された表示パターンデータや予め記憶された表示パターンデータの編集又は新規作成を行い、編集又は新規作成された表示パターンデータを記憶する。
【００４６】
図５は、編集装置３０の機能構成の一例を示すブロック図である。同図に示すように、編集装置３０は、大別して、操作部３１、記憶部３２、通信インターフェース（Ｉ／Ｆ）部３３、制御部３４及び表示部３５で構成される。
【００４７】
操作部３１は、編集装置３０に設けられた各種キーやボタン等の操作子からなり、ユーザの操作に応じた操作子情報を出力し、制御部３４に供給する。操作部３１としては、例えば、編集装置３０がＰＣである場合、キーボードや、マウス、タッチパッド等のポインティングデバイスを用いることができる。
【００４８】
記憶部３２は、例えばメモリからなり、１つ又は複数の表示パターンデータが予め記憶される。記憶部３２は、制御部３４からの要求に応じて、記憶された表示パターンデータから所定の表示パターンデータを読み出し、制御部３４に供給すると共に、制御部３４から供給された表示パターンデータを記憶する。また、記憶部３２には、表示パターンデータの編集や、新規作成を行うための編集アプリケーションのプログラムが記憶され、制御部３４からの要求に応じてプログラムを制御部３４に供給する。
【００４９】
通信Ｉ／Ｆ部３３は、図１に示す伝送路２０を介して接続された表示装置１との通信を、表示装置１に設けられた通信Ｉ／Ｆ部１６で用いられるプロトコルと同様のプロトコルに従い制御する。通信Ｉ／Ｆ部３３における通信制御は、制御部３４の命令に基づきなされる。通信Ｉ／Ｆ部３３は、制御部３４から供給された表示パターンデータを表示装置１に送信する際の通信制御を行う。また、伝送路２０を介して表示装置１から受信した表示パターンデータを制御部３４に供給する。
【００５０】
制御部３４は、図示しないＲＯＭに予め格納されたプログラムに従い、ＲＡＭをワークメモリとして各部を制御する。制御部３４は、操作部１２から供給された操作子情報に基づき、記憶部３２に記憶された編集アプリケーションのプログラムを読み出し、編集アプリケーションを起動させる。そして、制御部３４は、起動した編集アプリケーションを用いて表示パターンの編集や新規作成を行う機能を有し、表示装置１から送信された表示パターン及び／又は記憶部３２に記憶された表示パターンの編集や、表示パターンの新規作成を行う。
【００５１】
また、制御部３４は、編集アプリケーションが起動している最中に、表示パターンデータの授受に対応する操作が行われた場合に、表示装置１からの表示パターンデータの送信要求や、表示装置１に対する表示パターンデータの受信要求等の各種要求を行う。制御部３４は、表示装置１に対する送信要求を行った場合に、表示パターンデータを記憶部３２から読み出して通信Ｉ／Ｆ部３３に供給すると共に、表示装置１に対する受信要求を行った場合に、通信Ｉ／Ｆ部３３から供給された表示パターンデータを記憶部３２に記憶させる。
【００５２】
表示部３５は、編集アプリケーションが起動された際に操作画面を表示する。表示部３５としては、例えばＬＣＤ（Liquid Crystal Display）や有機ＥＬ（Electro Luminescence）ディスプレイを用いることができる。
【００５３】
次に、上記構成を有する表示装置１の動作について、図３を参照して説明する。本実施の形態による表示装置１は、振り始めからスイング動作が反転する振り戻し動作までの間に、設定された表示パターンに基づいてＬＥＤ２、２、・・・を点滅させることにより、残像現象を利用して、表示パターンに基づく画像を空間に表示させる。
【００５４】
ユーザにより図２に示す電源スイッチ３ａが操作されることにより、表示装置１の電源がＯＮとされる。また、ユーザにより表示パターン選択スイッチ３ｄが操作されることにより、予め登録された複数の表示パターンの中から所定の表示パターンが選択されると、操作部１２は、操作子情報を出力し、制御部１４に供給する。制御部１４は、操作部１２から供給された操作子情報に基づき、記憶部１３から選択された表示パターンに対応する表示パターンデータを読み出す。
【００５５】
次に、ユーザによる表示装置１のスイング動作が開始されると、動作検出部１１は、このスイング動作の開始を検出し、制御部１４に動作情報を供給する。制御部１４は、動作検出部１１から供給された動作情報に基づき、読み出した表示パターンデータに従って、表示部１５におけるＬＥＤ２、２、・・・の点滅を制御する。表示部１５は、制御部１４の制御に基づいてＬＥＤ２、２、・・・の点滅を行う。これにより、残像現象を利用して空間に画像が表示される。
【００５６】
また、表示装置１が伝送路２０により編集装置３０と接続されると、編集装置３０からの要求に基づき、編集装置３０との間で表示パターンデータの授受が行われる。例えば、編集装置３０から表示パターンデータの送信要求を受信した場合、制御部１４は、送信要求のあった表示パターンデータを記憶部１３から読み出し、通信Ｉ／Ｆ部１６に供給する。通信Ｉ／Ｆ部１６は、制御部１４から供給された表示パターンデータを、所定のプロトコルに従い、伝送路２０を介して編集装置３０に対して送信する。
【００５７】
また、例えば、編集装置３０から表示パターンデータの受信要求を受信した場合、通信Ｉ／Ｆ部１６は、伝送路２０を介して編集装置３０から表示パターンデータを受信する。通信Ｉ／Ｆ部１６は、受信した表示パターンデータを制御部１４に供給する。制御部１４は、通信Ｉ／Ｆ部１６から供給された表示パターンデータを記憶部１３に記憶させる。
【００５８】
次に、上記構成を有する編集装置３０の動作について説明する。尚、ここでは、編集装置３０がＰＣであるため、一般的な動作の説明を省略し、この編集装置３０に表示装置１を接続した場合の動作について説明する。
【００５９】
編集装置３０が伝送路２０により表示装置１と接続されると、表示装置１に対して表示パターンデータの送受信を行うための各種要求を行い、表示装置１との間で表示パターンデータの授受が行われる。例えば、表示装置１に対して表示パターンデータの送信要求を行った場合、通信Ｉ／Ｆ部３３は、表示装置１から伝送路２０を介して表示パターンデータを受信する。通信Ｉ／Ｆ部３３は、受信した表示パターンデータを制御部３４に供給する。制御部３４は、通信Ｉ／Ｆ部３３から供給された表示パターンデータを記憶部３２に記憶させる。
【００６０】
また、例えば、表示装置１に対して表示パターンデータの受信要求を行った場合、制御部３４は、表示パターンデータを記憶部３２から読み出し、通信Ｉ／Ｆ部３３に供給する。通信Ｉ／Ｆ部３３は、制御部３４から供給された表示パターンデータを、所定のプロトコルに従い、伝送路２０を介して表示装置１に対して送信する。
【００６１】
また、編集装置３０は、記憶部３２に記憶された編集アプリケーションを用いて、表示パターンデータの編集や新規作成を行う。制御部３４は、このようにして編集又は作成された表示パターンデータを記憶部３２に記憶させる。尚、表示パターンデータの編集又は新規作成方法の詳細については、後述する。
【００６２】
次に、表示装置１及び編集装置３０を接続した際に行われる処理について説明する。表示装置１及び編集装置３０の間では、表示装置１に記憶された表示パターンデータを編集装置３０で受信するエクスポート処理と、編集装置３０に記憶された表示パターンデータを編集して得られる編集後の表示パターンデータや、新規作成された表示パターンデータを表示装置１に送信するインポート処理とが行われる。
【００６３】
まず、エクスポート処理の流れについて、図６に示すフローチャートを参照して説明する。ユーザが操作部３１であるマウスやキーボード等を操作して編集アプリケーションを起動する操作を行うと、編集装置３０は、この編集アプリケーションに対応するプログラムを記憶部３２から読み出して、編集アプリケーションを起動する（ステップＳ１）。
【００６４】
表示装置１及び編集装置３０を伝送路２０により接続すると（ステップＳ２）、編集装置３０の表示部３５に表示された編集アプリケーションの表示画面に、表示装置１に記憶された表示パターンデータ及び編集装置３０に記憶された表示パターンデータに基づく表示パターンの一覧が表示される（ステップＳ３）。
【００６５】
表示画面に表示された、表示装置１に記憶された表示パターンの一覧からエクスポートする表示パターンが選択されると（ステップＳ４）、編集装置３０は、表示装置１に対して送信要求を行い、選択された表示パターンに対応する表示パターンデータを伝送路２０を介して表示装置１から受信する（ステップＳ５）。そして、編集装置３０は、受信した表示パターンデータを記憶部３２に保存する（ステップＳ６）。
【００６６】
次に、インポート処理の流れについて、図７に示すフローチャートを参照して説明する。図６のステップＳ１の処理と同様に、ユーザが操作部３１を操作して編集アプリケーションを起動する操作を行うと、編集装置３０は、編集アプリケーションを起動する（ステップＳ１１）。
【００６７】
表示装置１及び編集装置３０が伝送路２０により接続すると（ステップＳ１２）、図６のステップＳ３と同様に、編集アプリケーションの表示画面に、表示装置１に記憶された表示パターンデータ及び編集装置３０に記憶された表示パターンデータに基づく表示パターンの一覧が表示される（ステップＳ１３）。
【００６８】
次に、ユーザにより表示パターンを編集又は新規作成する操作が行われる（ステップＳ１４）。表示パターンを編集する場合には、一覧表示された表示パターンの中から、所望の表示パターンが選択され（ステップＳ１５）、選択された表示パターンを編集するための編集画面が表示部３５に表示される。また、表示パターンを新規作成する場合には、新規作成画面が表示部３５に表示される。
【００６９】
このとき、表示部３５に表示される編集画面及び新規画面には、例えば、表示パターンデータにおける表示領域２１（図４を参照）と同様の行及び列方向に並べられたドットで構成された編集／作成領域が表示される。
【００７０】
文字による表示パターンを作成する場合には、キーボード等を用いて表示させる文字を直接的に入力すると共に、文字のサイズやフォントを指定する。このようにして設定された文字は、ドットで表現されたビットマップ画像に変換され、編集／作成領域に表示される（ステップＳ１６−１）。
【００７１】
ここで、編集／作成領域に表示された文字の画像に対して、マウス等を用いてドットを直接的に操作して文字を編集することもできる。こうすることにより、表示パターンに対して、例えば文字の拡大や縮小、文字の変形等の編集を行うことができる。
【００７２】
また、図形による表示パターンを作成する場合には、マウス等を用いて編集／作成領域内のドットを直接的に操作して図形を描画する（ステップＳ１６−２）。尚、図形の作成は、この方法に限られず、例えば、表示する図形のビットマップ画像データを予め用意し、この画像を読み込んで編集／作成領域に表示させてもよい。
【００７３】
ステップＳ１６−１又はＳ１６−２における表示パターンの作成が終了すると、作成された表示パターンに基づく表示パターンデータが記憶部３２に保存され、表示部３５には、表示パターンの一覧が表示される（ステップＳ１７）。
【００７４】
そして、ユーザの操作により、表示部３５に表示された表示パターンの一覧からインポートする表示パターンが選択されると（ステップＳ１８）、編集装置３０は、表示装置１に対して受信要求を行い、選択された表示パターンに対応する表示パターンデータを伝送路２０を介して表示装置１に送信する（ステップＳ１９）。表示装置１は、編集装置３０から送信された表示パターンデータを受信し、記憶部１３に保存する。
【００７５】
尚、インポート処理において、編集装置３０の記憶部３２に記憶された表示パターンデータを編集することなく表示装置１にインポートする場合には、例えば、ステップＳ１３で表示部３５に表示された表示パターンの一覧から所望の表示パターンを選択し、選択された表示パターンデータを表示装置１に対してそのまま送信してもよい。
【００７６】
以上のように、本実施の形態によれば、表示装置１と編集装置３０とを伝送路２０で接続し、エクスポート処理及びインポート処理を行うため、表示装置１に記憶された表示パターンの追加や編集を行うことができる。
【００７７】
また、編集装置３０において、表示装置１に記憶された表示パターン及び、編集装置３０に予め記憶された表示パターンの編集や、表示パターンの新規作成を行い、表示装置１にインポートできるため、表示装置１に様々な表示パターンを設定することができる。
【００７８】
以上、本発明の一実施の形態について説明したが、本発明は、上記構成に限定されるものではなく、特許請求の範囲に記載された発明の範囲内で種々の変更が可能である。例えば、上述の例では、編集装置３０としてＰＣを用いた場合について説明したが、これに限られず、例えば、編集装置３０として携帯電話等の携帯端末を用いることもできる。
【００７９】
ただし、携帯端末を用いた場合には、編集／作成領域のドットを直接的に指定した編集を行うことが困難であり、文字や図形の編集が制限されるため、表示パターンを編集又は新規作成する場合には、単に文字入力や図形の画像データの読み込み等を行うことにより、表示パターンを作成する。
【００８０】
また、上述の例では、伝送路２０としてＵＳＢを用いて表示装置１及び編集装置３０の間で通信を行う場合について説明したが、通信方式としては、これに限られず、例えば、赤外線を用いた無線通信を用いてもよい。この場合、表示装置１及び編集装置３０に設けられる通信Ｉ／Ｆ部１６及び３３は、例えば、赤外線通信に対応するプロトコルに従って通信を行うようにすればよい。この場合には、図２に示す接続端子７として、赤外線通信が可能な端子を設ける。こうすることにより、表示装置１及び編集装置３０を接続する際の接続ケーブルが不要となり、表示装置１及び編集装置３０を容易に接続することができる。
【００８１】
さらに、無線通信としては、赤外線による通信に限られず、例えば、Ｂｌｕｅｔｏｏｔｈ（登録商標）を用いてもよい。
【符号の説明】
【００８２】
１  表示装置
２、２、・・・  ＬＥＤ
３  スイッチ
３ａ  電源スイッチ
３ｂ  発光パターン選択スイッチ
３ｃ  バックライト選択スイッチ
３ｄ  表示パターン選択スイッチ
４  回路基板
５  センサ
６  バックライト
７  接続端子
１０  筐体
１０ａ  発光部
１０ｂ  把持部
１１  動作検出部
１２  操作部
１３  記憶部
１４  制御部
１５  表示部
１６  通信インターフェース部
２０  伝送路
２１  表示領域
２２（２２ａ、２２ｂ）  非表示領域
３０  編集装置
３１  操作部
３２  記憶部
３３  通信インターフェース部
３４  制御部
３５  表示部
【図１】
2012194213.tif 000003
【図２】
2012194213.tif 000004
【図３】
2012194213.tif 000005
【図４】
2012194213.tif 000006
【図５】
2012194213.tif 000007
【図６】
2012194213.tif 000008
【図７】
2012194213.tif 000009
【図８】
2012194213.tif 000010